(57)【要約】        【課題】  スロットマシンに関し、３個のストップスイッチのうち、２個を操作することで、当該操作にもとづいて２個のサブリールを個別に停止させることができるようにしたものである。        【解決手段】  遊技制御装置(400)には、メインリール制御手段(520)、スタートスイッチ(80)の操作にもとづいて、サブリール駆動源（例えばサブリールモータ201,211）を駆動し、第１、第２サブリール(200,210)の回転を開始させ、各第１、第２サブリール(200,210)の下側にそれぞれ位置する各ストップスイッチの操作にもとづいて、当該ストップスイッチの直上に位置するサブリールを個別に停止させるためのサブリール制御手段(620)を備える。    【選択図】    図１
2009112410.tif 000002
【特許請求の範囲】
【請求項１】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された少なくとも２個の第１、第２サブリールと、
前記遊技制御装置に接続され、前記第１、第２サブリールを個別に回転可能なサブリール駆動源と、
前記第１〜第３メインリール及び前記第１、第２サブリールのうち、３個が臨むことが可能なメイン表示窓と、
前記第１〜第３メインリール及び前記第１、第２サブリールのうち、残る２個が個別に臨むことが可能な２個のサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、１個のメインリールを前記メイン表示窓に臨ませ、
残る２個のメインリールを前記２個のサブ表示窓にそれぞれ臨ませ、
前記第１、第２サブリールは、前記メイン表示窓にそれぞれ臨ませ、
前記遊技制御装置には、
前記スタートスイッチの操作にもとづいて、前記メインリール駆動源を駆動し、前記第１〜第３メインリールの回転を開始させ、
前記第１ストップスイッチの操作にもとづいて、当該第１ストップスイッチが対応する前記第１メインリールを個別に停止させ、
前記第２ストップスイッチの操作にもとづいて、当該第２ストップスイッチが対応する前記第２メインリールを個別に停止させ、
前記第３ストップスイッチの操作にもとづいて、当該第３ストップスイッチが対応する前記第３メインリールを個別に停止させるためのメインリール制御手段と、
前記スタートスイッチの操作にもとづいて、前記サブリール駆動源を駆動し、前記第１、第２サブリールの回転を開始させ、
前記各第１、第２サブリールの下側にそれぞれ位置する各ストップスイッチの操作にもとづいて、当該ストップスイッチの直上に位置するサブリールを個別に停止させるためのサブリール制御手段とを備えていることを特徴とするスロットマシン。
【請求項２】
請求項１に記載のスロットマシンであって、
前記サブリール制御手段は、
前記第１〜第３メインリールに比較して、前記第１、第２サブリールを遅れて停止させるようにしていることを特徴とするスロットマシン。
【請求項３】
請求項１又は請求項２に記載のスロットマシンであって、
前記メイン表示窓に臨む前記１個のメインリールに表示された図柄の種類と、
前記２個のサブ表示窓にそれぞれ臨む前記残る２個のメインリールに表示された図柄の種類とを互いに異ならせていることを特徴とするスロットマシン。
【請求項４】
請求項１〜３のいずれか１項に記載のスロットマシンであって、
前記メイン表示窓に臨む前記１個のメインリールに表示された図柄の種類と、
前記メイン表示窓にそれぞれ臨む前記第１、第２サブリールに表示された図柄の種類とを一致させていることを特徴とするスロットマシン。
【請求項５】
請求項１〜４のいずれか１項に記載のスロットマシンであって、
前記２個のサブ表示窓は、
前記メイン表示窓の左右両側の片側に、並べて２個配置されていることを特徴とするスロットマシン。
【請求項６】
請求項１〜４のいずれか１項に記載のスロットマシンであって、
前記２個のサブ表示窓は、
前記メイン表示窓の左右両側にそれぞれ配置されていることを特徴とするスロットマシン。
【請求項７】
請求項１〜６のいずれか１項に記載のスロットマシンであって、
前記第１、第２サブリールの直径は、
前記第１〜第３メインリールの直径より小さく設定されていることを特徴とするスロットマシン。
【請求項８】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記メインリール軸と同一直線上に配置されるサブリール軸を有し、当該サブリール軸を中心に回転可能に保持され、外周に複数種類の図柄が表示された１個のサブリールと、
前記遊技制御装置に接続され、前記サブリールを回転可能なサブリール駆動源と、
前記第１〜第３メインリール及び前記サブリールのうち、３個が臨むことが可能なメイン表示窓と、
前記第１〜第３メインリール及び前記サブリールのうち、残る１個が臨むことが可能なサブ表示窓とを備え、
前記メイン表示窓の下側には、
当該メイン表示窓に臨む各リール毎に前記第１〜第３ストップスイッチをそれぞれ臨ませ、
前記第１〜第３メインリールは、
当該第１〜第３メインリールのうち、２個のメインリールを前記メイン表示窓にそれぞれ臨ませ、
残る１個のメインリールを前記サブ表示窓に臨ませ、
前記サブリールは、前記メイン表示窓に臨ませ、
前記遊技制御装置には、
前記スタートスイッチの操作にもとづいて、前記メインリール駆動源を駆動し、前記第１〜第３メインリールの回転を開始させ、
前記第１ストップスイッチの操作にもとづいて、当該第１ストップスイッチが対応する前記第１メインリールを個別に停止させ、
前記第２ストップスイッチの操作にもとづいて、当該第２ストップスイッチが対応する前記第２メインリールを個別に停止させ、
前記第３ストップスイッチの操作にもとづいて、当該第３ストップスイッチが対応する前記第３メインリールを個別に停止させるためのメインリール制御手段と、
前記スタートスイッチの操作にもとづいて、前記サブリール駆動源を駆動し、前記サブリールの回転を開始させ、
前記サブリールの下側に位置するストップスイッチの操作にもとづいて、当該ストップスイッチの直上に位置する前記サブリールを停止させるためのサブリール制御手段とを備えていることを特徴とするスロットマシン。
【請求項９】
請求項８に記載のスロットマシンであって、
前記メイン表示窓から見える前記サブリールに表示された図柄の個数を、
前記メイン表示窓から見える前記２個のメインリールに表示された図柄の個数より減少させていることを特徴とするスロットマシン。
【請求項１０】
メインリール軸を中心に回転可能に保持され、外周に複数種類の図柄が表示された少なくとも３個の第１〜第３メインリールと、
前記第１〜第３メインリールを個別に回転可能なメインリール駆動源と、
メダルの投入を条件に、前記メインリール駆動源により、前記第１〜第３メインリールを回転させるためのスタートスイッチと、
前記メインリール駆動源により回転する前記第１〜第３メインリールを個別に停止可能な第１〜第３ストップスイッチと、
前記メインリール駆動源、前記スタートスイッチ及び前記第１〜第３ストップスイッチに個々に接続され、遊技を進行させるための遊技制御装置とを備えるスロットマシンにおいて、
前記スロットマシンには、
前記遊技制御装置に接続され、遊技の進行にもとづいて演出画像を表示可能な画像表示装置と、
前記メインリール軸と同一直線上に配置されるサブリール軸を有し、当該サブリール軸を中心に回転可能に保持され、外周に複数種類の図柄が表示された少なくとも３個の第１〜第３サブリールと、
前記遊技制御装置に接続され、前記第１〜第３サブリールを個別に回転可能なサブリール駆動源と、
前記画像表示装置の左右両側の一方の片側に位置し、前記第１〜第３メインリールが臨むメイン表示窓と、
前記画像表示装置の左右両側の他方の片側に位置し、前記第１〜第３サブリールが臨むサブ表示窓とを備え、
前記画像表示装置の下側には、
前記第１〜第３ストップスイッチをそれぞれ配置していることを特徴とするスロットマシン。
【請求項１１】
請求項１０に記載のスロットマシンであって、
前記遊技制御装置には、
前記スタートスイッチの操作にもとづいて、前記メインリール駆動源を駆動し、前記第１〜第３メインリールの回転を開始させ、
前記第１ストップスイッチの操作にもとづいて、当該第１ストップスイッチが対応する前記第１メインリールを個別に停止させ、
前記第２ストップスイッチの操作にもとづいて、当該第２ストップスイッチが対応する前記第２メインリールを個別に停止させ、
前記第３ストップスイッチの操作にもとづいて、当該第３ストップスイッチが対応する前記第３メインリールを個別停止させるためのメインリール制御手段と、
前記スタートスイッチの操作にもとづいて、前記サブリール駆動源を駆動し、前記第１〜第３サブリールの回転を開始させ、
前記第１ストップスイッチの操作にもとづいて、前記第１サブリールを個別に停止させ、
前記第２ストップスイッチの操作にもとづいて、前記第２サブリールを個別に停止させ、
前記第３ストップスイッチの操作にもとづいて、前記第３サブリールを個別に停止させるためのサブリール制御手段とを備えていることを特徴とするスロットマシン。
【発明の詳細な説明】
【技術分野】
【０００１】
この発明は、スロットマシンに関し、下側に３個のストップスイッチを配置したメイン表示窓とサブ表示窓との２種類の表示窓を設け、３個のメインリールのうち、１個をメイン表示窓に、残る２個をサブ表示窓に配置し、２個のサブリールをメイン表示窓に配置し、メイン表示窓の下側に配置された３個のストップスイッチのうち、２個を操作することで、当該操作にもとづいて２個のサブリールを個別に停止させることができるようにしたものである。
【背景技術】
【０００２】
従来、３個のメインリールと２個のサブリールとを備えたスロットマシンが知られている（例えば特許文献１の段落番号「００１７」、図１参照）。
上記した３個の各メインリールと、２個の各サブリールとは、各リールの中心が同一線上となるように交互に配置されている（例えば特許文献１の段落番号「００１７」、図１参照）。
【０００３】
上記した３個のメインリールは、３個のストップスイッチの操作により、個別に停止する（例えば特許文献１の段落番号「００２１」参照）。
上記した２個のサブリールは、遊技者が個別に停止させることはできず、ゲームの進行状況に応じて停止する（例えば特許文献１の段落番号「００２１」参照）。
【特許文献１】特開2007-90002号公報（段落番号「００１７」、段落番号「００２１」、図１）
【発明の開示】
【発明が解決しようとする課題】
【０００４】
しかし、上記した従来のスロットマシンでは、２個のサブリールを遊技者が個別に停止させることができず、ゲームの進行状況に応じて停止してしまうので、遊技者に技術介入性が低いという印象を与えてしまうおそれがあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、下側に３個のストップスイッチを配置したメイン表示窓とサブ表示窓との２種類の表示窓を設け、３個のメインリールのうち、１個をメイン表示窓に、残る２個をサブ表示窓に配置し、２個のサブリールをメイン表示窓に配置し、メイン表示窓の下側に配置された３個のストップスイッチのうち、２個を操作することで、当該操作にもとづいて２個のサブリールを個別に停止させることができるようにしたものである。
【０００６】
その結果、請求項１に記載の発明によれば、遊技者によるストップスイッチの操作にもとづいて２個のサブリールを個別に停止させることができるので、ゲームへの遊技者の参加意識を向上することができる。
（請求項２）
請求項２に記載の発明は、上記した請求項１に記載の発明の目的に加え、次の点を目的とする。
【０００７】
すなわち、請求項２に記載の発明は、サブリールをメインリールにより遅れて停止させることで、メインリールとサブリールとを遊技者が区別をすることができるようにしたものである。
（請求項３）
請求項３に記載の発明は、上記した請求項１又は請求項２に記載の発明の目的に加え、次の点を目的とする。
【０００８】
すなわち、請求項３に記載の発明は、メイン表示窓に臨むメインリールに表示された図柄の種類と、サブ表示窓に臨むメインリールに表示された図柄の種類とを互いに異ならせていることで、サブ表示窓に臨むメインリールを意識させずに、遊技者がメイン表示窓でのゲームに集中することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、メイン表示窓に臨むメインリールに表示された図柄の種類と、サブリールに表示された図柄の種類とを一致させることで、遊技者がメイン表示窓でのゲームに集中することができるようにしたものである。
（請求項５）
請求項５に記載の発明は、上記した請求項１〜４のいずれか１項に記載の発明の目的に加え、次の点を目的とする。
【００１０】
すなわち、請求項５に記載の発明は、メイン表示窓の左右両側の片側に、２個のサブ表示窓を並べて配置することができるようにしたものである。
（請求項６）
請求項６に記載の発明は、上記した請求項１〜４のいずれか１項に記載の発明の目的に加え、次の点を目的とする。
【００１１】
すなわち、請求項６に記載の発明は、メイン表示窓の左右両側に、２個のサブ表示窓をそれぞれ配置することができるようにしたものである。
（請求項７）
請求項７に記載の発明は、上記した請求項１〜６のいずれか１項に記載の発明の目的に加え、次の点を目的とする。
【００１２】
すなわち、請求項７に記載の発明は、第１〜第３メインリールの直径より、サブリールの直径を小さく設定することで、メインリールとサブリールとを遊技者が区別をすることができるようにしたものである。
（請求項８）
請求項８に記載の発明は、次の点を目的とする。
【００１３】
すなわち、請求項８に記載の発明は、上記した請求項１に記載の発明と同様に、ゲームへの遊技者の参加意識を向上することができるようにしたものである。
具体的には、請求項８に記載の発明は、上記した請求項１に記載の発明と比較すると、２個のサブリールを１個に減少し、２個のメインリールをメイン表示窓に臨ませたものである。
【００１４】
その結果、請求項８に記載の発明は、メイン表示窓の下側に配置された３個のストップスイッチのうち、１個を操作することで、当該操作にもとづいて１個のサブリールを停止させることができるようにしたものである。
（請求項９）
請求項９に記載の発明は、上記した請求項８に記載の発明の目的に加え、次の点を目的とする。
【００１５】
すなわち、請求項９に記載の発明は、メイン表示窓から見える前記２個のメインリールに表示された図柄の個数より、メイン表示窓から見えるサブリールに表示された図柄の個数を減少させることができるようにしたものである。
（請求項１０）
請求項１０に記載の発明は、次の点を目的とする。
【００１６】
すなわち、請求項１０に記載の発明は、画像表示装置をはさんで、その左右両側に３個のメインリールが臨むメイン表示窓と、３個のサブリールが臨むサブ表示窓とを分けて配置することができるようにしたものである。
（請求項１１）
請求項１１に記載の発明は、上記した請求項１０に記載の発明の目的に加え、次の点を目的とする。
【００１７】
すなわち、請求項１１に記載の発明は、上記した請求項１に記載の発明と同様に、ゲームへの遊技者の参加意識を向上することができるようにしたものである。
具体的には、請求項１１に記載の発明は、第１ストップスイッチの操作にもとづいて第１メインリールと第１サブリールとを、第２ストップスイッチの操作にもとづいて第２メインリールと第２サブリールとを、第３ストップスイッチの操作にもとづいて第３メインリールと第３サブリールとをそれぞれ連動させて停止させることができるようにしたものである。
【課題を解決するための手段】
【００１８】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１９】
第１に、スロットマシン(10)には、例えば図１〜３に示すように、次の構成を備える。
（１）第１〜第３メインリール(100,110,120)
第１〜第３メインリール(100,110,120)は、少なくとも３個有り、メインリール軸(M)を中心に回転可能に保持され、外周に複数種類の図柄が表示されたものである。
（２）メインリール駆動源（例えばメインリールモータ101,111,121）
メインリール駆動源（例えばメインリールモータ101,111,121）は、第１〜第３メインリール(100,110,120)を個別に回転可能なものである。
【００２０】
（３）スタートスイッチ(80)
スタートスイッチ(80)は、メダルの投入を条件に、メインリール駆動源（例えばメインリールモータ101,111,121）により、第１〜第３メインリール(100,110,120)を回転させるためのものである。
（４）第１〜第３ストップスイッチ(90〜92)
第１〜第３ストップスイッチ(90〜92)は、メインリール駆動源（例えばメインリールモータ101,111,121）により回転する第１〜第３メインリール(100,110,120)を個別に停止可能なものである。
【００２１】
（５）遊技制御装置(400)
遊技制御装置(400)は、メインリール駆動源（例えばメインリールモータ101,111,121）、スタートスイッチ(80)及び第１〜第３ストップスイッチ(90〜92)に個々に接続され、遊技を進行させるためのものである。
第２に、スロットマシン(10)には、例えば図１〜３に示すように、次の構成を備える。
【００２２】
（６）第１、第２サブリール(200,210)
第１、第２サブリール(200,210)は、少なくとも２個有り、メインリール軸(M)と同一直線上に配置されるサブリール軸(S)を有し、当該サブリール軸(S)を中心に回転可能に保持され、外周に複数種類の図柄が表示されたものである。
（７）サブリール駆動源（例えばサブリールモータ201,211）
サブリール駆動源（例えばサブリールモータ201,211）は、遊技制御装置(400)に接続され、第１、第２サブリール(200,210)を個別に回転可能なものである。
【００２３】
（８）メイン表示窓(20)
メイン表示窓(20)は、第１〜第３メインリール(100,110,120)及び第１、第２サブリール(200,210)のうち、３個が臨むことが可能なものである。
（９）サブ表示窓(30,40)
サブ表示窓(30,40)は、２個有り、第１〜第３メインリール(100,110,120)及び第１、第２サブリール(200,210)のうち、残る２個が個別に臨むことが可能なものである。
【００２４】
第３に、メイン表示窓(20)の下側には、例えば図１及び図３に示すように、当該メイン表示窓(20)に臨む各リール毎に第１〜第３ストップスイッチ(90〜92)をそれぞれ臨ませる。
第４に、第１〜第３メインリール(100,110,120)は、例えば図１に示すように、当該第１〜第３メインリール(100,110,120)のうち、１個のメインリールをメイン表示窓(20)に臨ませ、残る２個のメインリールを２個のサブ表示窓(30,40)にそれぞれ臨ませる。
【００２５】
第５に、第１、第２サブリール(200,210)は、例えば図１に示すように、メイン表示窓(20)にそれぞれ臨ませる。
第６に。遊技制御装置(400)には、例えば図２に示すように、次の構成を備える。
（１０）メインリール制御手段(520)
メインリール制御手段(520)は、スタートスイッチ(80)の操作にもとづいて、メインリール駆動源（例えばメインリールモータ101,111,121）を駆動し、第１〜第３メインリール(100,110,120)の回転を開始させ、第１ストップスイッチの操作にもとづいて、当該第１ストップスイッチが対応する第１メインリールを個別に停止させ、第２ストップスイッチの操作にもとづいて、当該第２ストップスイッチが対応する第２メインリールを個別に停止させ、第３ストップスイッチの操作にもとづいて、当該第３ストップスイッチが対応する第３メインリールを個別に停止させるためのものである。
【００２６】
（１１）サブリール制御手段(620)
サブリール制御手段(620)は、スタートスイッチ(80)の操作にもとづいて、サブリール駆動源（例えばサブリールモータ201,211）を駆動し、第１、第２サブリール(200,210)の回転を開始させ、各第１、第２サブリール(200,210)の下側にそれぞれ位置する各ストップスイッチの操作にもとづいて、当該ストップスイッチの直上に位置するサブリールを個別に停止させるためのものである。
（請求項２）
請求項２に記載の発明は、上記した請求項１に記載の発明の特徴点に加え、次の点を特徴とする。
【００２７】
すなわち、サブリール制御手段(620)は、第１〜第３メインリール(100,110,120)に比較して、第１、第２サブリール(200,210)を遅れて停止させるようにしている。
（請求項３）
請求項３に記載の発明は、上記した請求項１又は請求項２に記載の発明の特徴点に加え、次の点を特徴とする。
【００２８】
すなわち、メイン表示窓(20)に臨む１個のメインリールに表示された図柄の種類と、２個のサブ表示窓(30,40)にそれぞれ臨む残る２個のメインリールに表示された図柄の種類とを、例えば図１に示すように、互いに異ならせている。
（請求項４）
請求項４に記載の発明は、上記した請求項１〜３のいずれか１項に記載の発明の特徴点に加え、次の点を特徴とする。
【００２９】
すなわち、メイン表示窓(20)に臨む１個のメインリールに表示された図柄の種類と、メイン表示窓(20)にそれぞれ臨む第１、第２サブリール(200,210)に表示された図柄の種類とを、例えば図１に示すように、一致させている。
（請求項５）
請求項５に記載の発明は、上記した請求項１〜４のいずれか１項に記載の発明の特徴点に加え、次の点を特徴とする。
【００３０】
すなわち、２個のサブ表示窓(30,40)は、例えば図１に示すように、メイン表示窓(20)の左右両側の片側に、並べて２個配置されている。
（請求項６）
請求項６に記載の発明は、上記した請求項１〜４のいずれか１項に記載の発明の特徴点に加え、次の点を特徴とする。
【００３１】
すなわち、２個のサブ表示窓(710,720)は、例えば図４に示すように、メイン表示窓(700)の左右両側にそれぞれ配置されている。
（請求項７）
請求項７に記載の発明は、上記した請求項１〜６のいずれか１項に記載の発明の特徴点に加え、次の点を特徴とする。
【００３２】
すなわち、第１、第２サブリール(220,230)の直径は、例えば図４に示すように、第１〜第３メインリール(130,140,150)の直径より小さく設定されている。
（請求項８）
請求項８に記載の発明は、次の点を特徴とする。
第１に、スロットマシン(10)には、例えば図５〜６に示すように、次の構成を備える。
【００３３】
（１）第１〜第３メインリール(160,170,180)
第１〜第３メインリール(160,170,180)は、少なくとも３個有り、メインリール軸(M)を中心に回転可能に保持され、外周に複数種類の図柄が表示されたものである。
（２）メインリール駆動源（例えばメインリールモータ161,171,181）
メインリール駆動源（例えばメインリールモータ161,171,181）は、第１〜第３メインリール(160,170,180)を個別に回転可能なものである。
【００３４】
（３）スタートスイッチ(80)
スタートスイッチ(80)は、メダルの投入を条件に、メインリール駆動源（例えばメインリールモータ161,171,181）により、第１〜第３メインリール(160,170,180)を回転させるためのものである。
（４）第１〜第３ストップスイッチ(90〜92)
第１〜第３ストップスイッチ(90〜92)は、メインリール駆動源（例えばメインリールモータ161,171,181）により回転する第１〜第３メインリール(160,170,180)を個別に停止可能なものである。
【００３５】
（５）遊技制御装置(400)
遊技制御装置(400)は、メインリール駆動源（例えばメインリールモータ161,171,181）、スタートスイッチ(80)及び第１〜第３ストップスイッチ(90〜92)に個々に接続され、遊技を進行させるためのものである。
第２に、スロットマシン(10)には、例えば図５〜６に示すように、次の構成を備える。
【００３６】
（６）サブリール(240)
サブリール(240)は、１個有り、メインリール軸(M)と同一直線上に配置されるサブリール軸(S)を有し、当該サブリール軸(S)を中心に回転可能に保持され、外周に複数種類の図柄が表示されたものである。
（７）サブリール駆動源（例えばサブリールモータ241）
サブリール駆動源（例えばサブリールモータ241）は、遊技制御装置(400)に接続され、サブリール(240)を回転可能なものである。
【００３７】
（８）メイン表示窓(800)
メイン表示窓(800)は、第１〜第３メインリール(160,170,180)及びサブリール(240)のうち、３個が臨むことが可能なものである。
（９）サブ表示窓(810)
サブ表示窓(810)は、第１〜第３メインリール(160,170,180)及びサブリール(240)のうち、残る１個が臨むことが可能なものである。
【００３８】
第３に、メイン表示窓(800)の下側には、例えば図５に示すように、当該メイン表示窓(800)に臨む各リール毎に第１〜第３ストップスイッチ(90〜92)をそれぞれ臨ませる。
第４に、第１〜第３メインリール(160,170,180)は、例えば図５に示すように、当該第１〜第３メインリール(160,170,180)のうち、２個のメインリールをメイン表示窓(800)にそれぞれ臨ませ、残る１個のメインリールをサブ表示窓(810)に臨ませる。
【００３９】
第５に、サブリール(240)は、例えば図５に示すように、メイン表示窓(800)に臨ませる。
第６に、遊技制御装置(400)には、例えば図６に示すように、次の構成を備える。
（１０）メインリール制御手段(520)
メインリール制御手段(520)は、スタートスイッチ(80)の操作にもとづいて、メインリール駆動源（例えばメインリールモータ161,171,181）を駆動し、第１〜第３メインリール(160,170,180)の回転を開始させ、第１ストップスイッチの操作にもとづいて、当該第１ストップスイッチが対応する第１メインリールを個別に停止させ、第２ストップスイッチの操作にもとづいて、当該第２ストップスイッチが対応する第２メインリールを個別に停止させ、第３ストップスイッチの操作にもとづいて、当該第３ストップスイッチが対応する第３メインリールを個別に停止させるためのものである。
【００４０】
（１１）サブリール制御手段(620)
サブリール制御手段(620)は、スタートスイッチ(80)の操作にもとづいて、サブリール駆動源（例えばサブリールモータ241）を駆動し、サブリール(240)の回転を開始させ、サブリール(240)の下側に位置するストップスイッチの操作にもとづいて、当該ストップスイッチの直上に位置するサブリール(240)を停止させるためのものである。
（請求項９）
請求項９に記載の発明は、上記した請求項８に記載の発明の特徴点に加え、次の点を特徴とする。
【００４１】
すなわち、メイン表示窓(800)から見えるサブリール(240)に表示された図柄の個数を、例えば図５に示すように、メイン表示窓(800)から見える２個のメインリールに表示された図柄の個数より減少させている。
（請求項１０）
請求項１０に記載の発明は、次の点を特徴とする。
【００４２】
第１に、スロットマシン(10)には、例えば図７〜９に示すように、次の構成を備える。
（１）第１〜第３メインリール(1200,1210,1220)
第１〜第３メインリール(1200,1210,1220)は、少なくとも３個有り、メインリール軸(M)を中心に回転可能に保持され、外周に複数種類の図柄が表示されたものである。
（２）メインリール駆動源（例えばメインリールモータ1201,1211,1221）
メインリール駆動源（例えばメインリールモータ1201,1211,1221）は、第１〜第３メインリール(1200,1210,1220)を個別に回転可能なものである。
【００４３】
（３）スタートスイッチ(80)
スタートスイッチ(80)は、メダルの投入を条件に、メインリール駆動源（例えばメインリールモータ1201,1211,1221）により、第１〜第３メインリール(1200,1210,1220)を回転させるためのものである。
（４）第１〜第３ストップスイッチ(90〜92)
第１〜第３ストップスイッチ(90〜92)は、メインリール駆動源（例えばメインリールモータ1201,1211,1221）により回転する第１〜第３メインリール(1200,1210,1220)を個別に停止可能なものである。
【００４４】
（５）遊技制御装置(400)
遊技制御装置(400)は、メインリール駆動源（例えばメインリールモータ1201,1211,1221）、スタートスイッチ(80)及び第１〜第３ストップスイッチ(90〜92)に個々に接続され、遊技を進行させるためのものである。
第２に、スロットマシン(10)には、例えば図７〜９に示すように、次の構成を備える。
【００４５】
（６）画像表示装置(900)
画像表示装置(900)は、遊技制御装置(400)に接続され、遊技の進行にもとづいて演出画像を表示可能なものである。
（７）第１〜第３サブリール(1300,1310,1320)
第１〜第３サブリール(1300,1310,1320)は、少なくとも３個有り、メインリール軸(M)と同一直線上に配置されるサブリール軸(S)を有し、当該サブリール軸(S)を中心に回転可能に保持され、外周に複数種類の図柄が表示されたものである。
【００４６】
（８）サブリール駆動源（例えばサブリールモータ1301,1311,1321）
サブリール駆動源（例えばサブリールモータ1301,1311,1321）は、遊技制御装置(400)に接続され、第１〜第３サブリール(1300,1310,1320)を個別に回転可能なものである。
（９）メイン表示窓(1000)
メイン表示窓(1000)は、画像表示装置(900)の左右両側の一方の片側に位置し、第１〜第３メインリール(1200,1210,1220)が臨むものである。
【００４７】
（１０）サブ表示窓(1100)
サブ表示窓(1100)は、画像表示装置(900)の左右両側の他方の片側に位置し、第１〜第３サブリール(1300,1310,1320)が臨むものである。
第３に、画像表示装置(900)の下側には、例えば図７及び図８に示すように、第１〜第３ストップスイッチ(90〜92)をそれぞれ配置している。
（請求項１１）
請求項１１に記載の発明は、上記した請求項１０に記載の発明の特徴点に加え、次の点を特徴とする。
【００４８】
すなわち、遊技制御装置(400)には、例えば図７〜９に示すように、次の構成を備える。
（１）メインリール制御手段(520)
メインリール制御手段(520)は、スタートスイッチ(80)の操作にもとづいて、メインリール駆動源（例えばメインリールモータ1201,1211,1221）を駆動し、第１〜第３メインリール(1200,1210,1220)の回転を開始させ、第１ストップスイッチの操作にもとづいて、当該第１ストップスイッチが対応する第１メインリールを個別に停止させ、第２ストップスイッチの操作にもとづいて、当該第２ストップスイッチが対応する第２メインリールを個別に停止させ、第３ストップスイッチの操作にもとづいて、当該第３ストップスイッチが対応する第３メインリールを個別停止させるためのものである。
【００４９】
（２）サブリール制御手段(620)
サブリール制御手段(620)は、スタートスイッチ(80)の操作にもとづいて、サブリール駆動源（例えばサブリールモータ1301,1311,1321）を駆動し、第１〜第３サブリール(1300,1310,1320)の回転を開始させ、第１ストップスイッチの操作にもとづいて、第１サブリールを個別に停止させ、第２ストップスイッチの操作にもとづいて、第２サブリールを個別に停止させ、第３ストップスイッチの操作にもとづいて、第３サブリールを個別に停止させるためのものである。
【発明の効果】
【００５０】
本発明は、以上のように構成されているので、以下に記載されるような効果を奏する。
（請求項１）
請求項１に記載の発明によれば、次のような効果を奏する。
すなわち、請求項１に記載の発明によれば、下側に３個のストップスイッチを配置したメイン表示窓とサブ表示窓との２種類の表示窓を設け、３個のメインリールのうち、１個をメイン表示窓に、残る２個をサブ表示窓に配置し、２個のサブリールをメイン表示窓に配置し、メイン表示窓の下側に配置された３個のストップスイッチのうち、２個を操作することで、当該操作にもとづいて２個のサブリールを個別に停止させることができる。
【００５１】
その結果、請求項１に記載の発明によれば、遊技者によるストップスイッチの操作にもとづいて２個のサブリールを個別に停止させることができるので、ゲームへの遊技者の参加意識を向上することができる。
（請求項２）
請求項２に記載の発明によれば、上記した請求項１に記載の発明の効果に加え、次のような効果を奏する。
【００５２】
すなわち、請求項２に記載の発明によれば、サブリールをメインリールにより遅れて停止させることで、メインリールとサブリールとを遊技者が区別をすることができる。
（請求項３）
請求項３に記載の発明によれば、上記した請求項１又は請求項２に記載の発明の効果に加え、次のような効果を奏する。
【００５３】
すなわち、請求項３に記載の発明によれば、メイン表示窓に臨むメインリールに表示された図柄の種類と、サブ表示窓に臨むメインリールに表示された図柄の種類とを互いに異ならせていることで、サブ表示窓に臨むメインリールを意識させずに、遊技者がメイン表示窓でのゲームに集中することができる。
（請求項４）
請求項４に記載の発明によれば、上記した請求項１〜３のいずれか１項に記載の発明の効果に加え、次のような効果を奏する。
【００５４】
すなわち、請求項４に記載の発明によれば、メイン表示窓に臨むメインリールに表示された図柄の種類と、サブリールに表示された図柄の種類とを一致させることで、遊技者がメイン表示窓でのゲームに集中することができる。
（請求項５）
請求項５に記載の発明によれば、上記した請求項１〜４のいずれか１項に記載の発明の効果に加え、次のような効果を奏する。
【００５５】
すなわち、請求項５に記載の発明によれば、メイン表示窓の左右両側の片側に、２個のサブ表示窓を並べて配置することができる。
（請求項６）
請求項６に記載の発明によれば、上記した請求項１〜４のいずれか１項に記載の発明の効果に加え、次のような効果を奏する。
【００５６】
すなわち、請求項６に記載の発明によれば、メイン表示窓の左右両側に、２個のサブ表示窓をそれぞれ配置することができる。
（請求項７）
請求項７に記載の発明によれば、上記した請求項１〜６のいずれか１項に記載の発明の効果に加え、次のような効果を奏する。
【００５７】
すなわち、請求項７に記載の発明によれば、第１〜第３メインリールの直径より、サブリールの直径を小さく設定することで、メインリールとサブリールとを遊技者が区別をすることができる。
（請求項８）
請求項８に記載の発明によれば、次のような効果を奏する。
【００５８】
すなわち、請求項８に記載の発明によれば、上記した請求項１に記載の発明と同様に、ゲームへの遊技者の参加意識を向上することができる。
具体的には、請求項８に記載の発明によれば、上記した請求項１に記載の発明と比較すると、２個のサブリールを１個に減少し、２個のメインリールをメイン表示窓に臨ませたものである。
【００５９】
その結果、請求項８に記載の発明によれば、メイン表示窓の下側に配置された３個のストップスイッチのうち、１個を操作することで、当該操作にもとづいて１個のサブリールを停止させることができる。
（請求項９）
請求項９に記載の発明によれば、上記した請求項８に記載の発明の効果に加え、次のような効果を奏する。
【００６０】
すなわち、請求項９に記載の発明によれば、メイン表示窓から見える前記２個のメインリールに表示された図柄の個数より、メイン表示窓から見えるサブリールに表示された図柄の個数を減少させることができる。
（請求項１０）
請求項１０に記載の発明によれば、次のような効果を奏する。
【００６１】
すなわち、請求項１０に記載の発明によれば、画像表示装置をはさんで、その左右両側に３個のメインリールが臨むメイン表示窓と、３個のサブリールが臨むサブ表示窓とを分けて配置することができる。
（請求項１１）
請求項１１に記載の発明によれば、上記した請求項１０に記載の発明の効果に加え、次のような効果を奏する。
【００６２】
すなわち、請求項１１に記載の発明によれば、上記した請求項１に記載の発明と同様に、ゲームへの遊技者の参加意識を向上することができる。
具体的には、請求項１１に記載の発明によれば、第１ストップスイッチの操作にもとづいて第１メインリールと第１サブリールとを、第２ストップスイッチの操作にもとづいて第２メインリールと第２サブリールとを、第３ストップスイッチの操作にもとづいて第３メインリールと第３サブリールとをそれぞれ連動させて停止させることができる。
【発明を実施するための最良の形態】
【００６３】
（図面の説明）
図１〜３は、本発明の第１の実施の形態の一例をそれぞれ示すものである。
図１は、メイン・サブ表示窓を説明するための概略正面図、図２はスロットマシンの動作を説明するための概略ブロック図、図３はスロットマシンの概略正面図をそれぞれ示すものである。
【００６４】
図４は、本発明の第２の実施の形態の一例を示し、同図は、メイン・サブ表示窓を説明するための概略正面図を示すものである。
図５及び図６は、本発明の第３の実施の形態の一例をそれぞれ示すものである。
図５は、メイン・サブ表示窓を説明するための概略正面図、図６はスロットマシンの動作を説明するための概略ブロック図をそれぞれ示すものである。
【００６５】
図７〜９は、本発明の第２の実施の形態の一例をそれぞれ示すものである。
図７は、メイン・サブ表示窓を説明するための概略正面図、図８はスロットマシンの動作を説明するための概略ブロック図、図９はスロットマシンの概略正面図をそれぞれ示すものである。
（スロットマシン10）
図３中、10は、スロットマシンを示すものである。
【００６６】
スロットマシン10の高さの中央には、後述するが、図１及び図３に示すように、１個のメイン表示窓20と、２個の第１、第２サブ表示窓30,40を設けている。
メイン表示窓20及び第１、第２サブ表示窓30,40には、同じく後述するが、図１及び図３に示すように、３個の第１〜第３メインリール100,110,120と、２個の第１、第２サブリール200,210を設けている。
【００６７】
メイン表示窓20の上方の中央には、図３に示すように、画像表示装置50を設けている。
画像表示装置50は、画像を表示可能なものであり、例えば液晶ユニットから構成されている。
なお、画像表示装置50として、液晶ユニットを例示したが、これに限定されず、例えばドット・マトリックス等から構成しても良い。
【００６８】
メイン表示窓20の下側には、図３の向かって右側に、メダル投入口60を設けている。
メダル投入口60は、遊技媒体の一例であるメダルを投入するためのものである。
なお、遊技媒体として、メダルを例示したが、これに限定されず、図示しないが、パチンコ機の遊技球や、或いはカードの度数等を用いても良い。
メダル投入口60の図３の向かって左側には、ベットスイッチ70を設けている。ベットスイッチ70は、メダル投入口60から規定枚数（例えば３枚）を超えて内部に投入され、クレジット（貯留）されたクレジットメダルをベットする（賭ける）ためのものである。
【００６９】
なお、ベットスイッチ70の個数は、単数でも複数個でも良い。
ベットスイッチ70の下側には、スタートスイッチ80を設けている。
スタートスイッチ80は、第１〜第３メインリール100,110,120の回転を開始させるためのものである。具体的には、スタートスイッチ80は、レバー状に形成され、レバーを傾けることで操作する。スタートスイッチ80を操作すると、３個の第１〜第３メインリール100,110,120が同時に回転を開始する。このとき、後述するが、２個の第１、第２サブリール200,210も、同時に回転を開始する。
【００７０】
スタートスイッチ80の向かって右隣には、少なくとも３個、例えば３個の第１〜第３ストップスイッチ90〜92を設けている。
３個のストップスイッチ90〜92は、第１〜第３メインリール100,110,120の回転を個別に停止可能なものである。このとき、後述するが、２個の第１、第２サブリール200,210も、対応する第１〜第３ストップスイッチ90〜92の操作にもとづいて、回転を停止する。
【００７１】
なお、ストップスイッチ90〜92の個数として、３個を例示したが、これに限定されず、４個以上設けても良い。
３個のストップスイッチ90〜92の下側には、メダル貯留皿300を設けている。
メダル貯留皿300には、後述する図２のホッパーユニット320から払い出されたメダルが貯留される。
【００７２】
メダル貯留皿300の右側には、１個のスピーカ310が配置されている。スピーカ310は、各種の効果音を発生させるものである。
（メイン表示窓20）
メイン表示窓20は、図１に示すように、第１〜第３メインリール100,110,120及び第１、第２サブリール200,210のうち、３個が臨むことが可能なものである。
（第１、第２サブ表示窓30,40）
第１、第２サブ表示窓30,40は、図１に示すように、２個有り、第１〜第３メインリール100,110,120及び第１、第２サブリール200,210のうち、残る２個が個別に臨むことが可能なものである。
【００７３】
具体的には、２個の第１、第２サブ表示窓30,40は、図１に示すように、メイン表示窓20の左右両側の片側、例えば右側に並べて２個配置されている。
（第１〜第３メインリール100,110,120）
第１〜第３メインリール100,110,120は、少なくとも３個有り、メインリール軸Ｍを中心に回転可能に保持され、外周に複数種類の図柄が表示されたものである。
【００７４】
なお、第１〜第３メインリール100,110,120の個数として、３個を例示したが、これに限定されず、４個以上としても良い。
第１〜第３メインリール100,110,120には、図２に示すように、メインリール駆動源として、例えば３個の第１〜第３メインリールモータ101,111,121を備える。
第１〜第３メインリールモータ101,111,121は、後述するが、遊技制御装置400に接続され、第１〜第３メインリール100,110,120を個別に回転可能なものである。
【００７５】
なお、メインリール駆動源として、３個の第１〜第３メインリールモータ101,111,121を例示したが、これに限定されず、１個のモータを使用して、３個の第１〜第３メインリール100,110,120を回転させても良い。
また、第１〜第３メインリール100,110,120は、図１に示すように、当該第１〜第３メインリール100,110,120のうち、１個のメインリール、例えば第１メインリール100をメイン表示窓20の向かって左側に臨ませ、残る２個のメインリール、例えば第２、第３メインリール110,120を２個の第１、第２サブ表示窓30,40にそれぞれ臨ませる。
【００７６】
すなわち、第２メインリール110を、第１サブ表示窓30に、第３メインリール110を第２サブ表示窓40にそれぞれ臨ませている。
なお、メイン表示窓20に、第１メインリール100を臨ませたが、これに限定されず、第２、第３メインリール110,120のいずれか一方を臨ませても良い。また、第１サブ表示窓30に、第２メインリール110を臨ませたが、これに限定されず、第３メインリール120を臨ませても良い。さらに、第２サブ表示窓40に、第３メインリール11を臨ませたが、これに限定されず、第２メインリール110を臨ませても良い。
（図柄の種類）
メイン表示窓20に臨む１個のメインリール、すなわち第１メインリール100に表示された図柄の種類と、２個の第１，第２サブ表示窓30,40にそれぞれ臨む残る２個のメインリール、すなわち第２、第３メインリール110,120に表示された図柄の種類とを、図１に示すように、互いに異ならせている。
【００７７】
具体的には、第１メインリール100には、図１に示すように、例えば「ベル」の絵の図柄、「７」の数字の図柄、フルーツの「チェリー」の絵の図柄等を表示している。
なお、第１メインリール100の図柄として、「ベル」の絵、「７」の数字、フルーツの「チェリー」の絵の３種類を例示したが、これに限定されず、実際には３種類以上の種類の図柄を用いている。また、第１メインリール100の図柄として、絵や数字を例示したが、これに限定されず、文字や記号等を使用しても良い。
【００７８】
また、第２、第３メインリール110,120には、上述した第１メインリール100と異なる図柄を表示している。
すなわち、第２メインリール110には、図１に示すように、アルファベットの大文字の「Ａ」〜「Ｃ」の文字等を表示している。
なお、第２メインリール110の図柄として、アルファベットの大文字の「Ａ」〜「Ｃ」の文字の３種類を例示したが、これに限定されず、実際には３種類以上の種類の図柄を用いている。また、第２メインリール110の図柄として、アルファベットの大文字を用いたが、これに限定されず、他の文字や、絵、数字、記号等を用いても良い。
【００７９】
これに対し、第３メインリール120には、図１に示すように、アルファベットの小文字の「ｄ」〜「ｆ」の文字等を表示している。
なお、第３メインリール120の図柄として、アルファベットの小文字の「ｄ」〜「ｆ」の文字の３種類を例示したが、これに限定されず、実際には３種類以上の種類の図柄を用いている。また、第３メインリール120の図柄として、アルファベットの小文字を用いたが、これに限定されず、他の文字や、絵、数字、記号等を用いても良い。さらに、第２、第３メインリール110,120の図柄を互いに異ならせたが、これに限定されず、第２、第３メインリール110,120の図柄は第１メインリール100と異なっていれば良く、第２、第３メインリール110,120の図柄を同一としても良い。
【００８０】
第１〜第３メインリール100,110,120の図柄を異ならせたのは、２個の第１，第２サブ表示窓30,40に配置した第２、第３メインリール110,120の図柄を遊技者に意識させずに、メイン表示窓20での遊技に集中できるようにするためである。
例えば、メイン表示窓20の中央のライン上には、図１に示すように、一般的なボーナス図柄の組み合わせである、「７、７、７」を表示させる。このとき、本実施例の第１〜第３メインリール100,110,120に表示された図柄の組み合わせは、「７、Ｂ、ｅ」となり、当該組み合わせがボーナス図柄の組み合わせとなる。
【００８１】
このため、ボーナス図柄の組み合わせである「７、Ｂ、ｅ」は、一般的なボーナス図柄の組み合わせである「７、７、７」に比較して規則性に乏しく、遊技者が記憶し難いものとできる。
（第１、第２サブリール200,210）
第１、第２サブリール200,210は、少なくとも２個有り、メインリール軸Ｍと同一直線上に配置されるサブリール軸Ｓを有し、当該サブリール軸Ｓを中心に回転可能に保持され、外周に複数種類の図柄が表示されたものである。
【００８２】
第１、第２サブリール200,210には、図２に示すように、サブリール駆動源として、例えば２個の第１、第２サブリールモータ201,211を備える。
第１、第２サブリールモータ201,211は、後述するが、遊技制御装置400に接続され、第１、第２サブリール200,210を個別に回転可能なものである。
なお、サブリール駆動源として、２個の第１、第２サブリールモータ201,211を例示したが、これに限定されず、１個のモータを使用して、２個の第１、第２サブリール200,210を回転させても良い。
【００８３】
また、第１、第２サブリール200,210は、図１に示すように、メイン表示窓20の中央、並びに向かって右側にそれぞれ臨ませる。
さらに、第１、第２サブリール200,210に表示された図柄の種類を、メイン表示窓20に臨む第１メインリール100に表示された図柄の種類と一致させている。
具体的には、第１、第２サブリール200,210には、第１メインリール100と同様に、図１に示すように、第１サブリール200に、例えばフルーツの「チェリー」の絵の図柄、「７」の数字の図柄、フルーツの「スイカ」の絵の図柄等を表示させ、又、第２サブリール210には、例えばフルーツの「チェリー」の絵の図柄、「７」の数字の図柄、「ベル」の絵の図柄等を表示している。
【００８４】
なお、第１、第２サブリール200,210の図柄として、フルーツの「チェリー」の絵、「７」の数字、フルーツの「スイカ」、「ベル」の絵の４種類を例示したが、これに限定されず、実際には４種類以上の種類の図柄を用いている。また、第１、第２サブリール200,210として、絵や数字を例示したが、これに限定されず、文字や記号等を使用しても良い。
（遊技制御装置400）
つぎに、図２を用いて、遊技制御装置400について説明する。
【００８５】
遊技制御装置400は、遊技制御手段の一例であり、スロットマシン10の内部に設けられ、遊技の進行を制御するためのものである。
なお、遊技制御手段として、遊技制御装置400を例示したが、これに限定されない。
具体的には、遊技制御装置400は、図２に示すように、大別すると、次の２つの手段を備える。
【００８６】
なお、次の（１）〜（２）の手段の説明については、後述する。
（１）メイン制御手段500
（２）サブ制御手段600
なお、遊技制御装置400の手段は、上記した（１）〜（２）に限定されない。
（メイン制御手段500）
つぎに、図２を用いて、メイン制御手段500について説明する。
【００８７】
メイン制御手段500は、遊技の進行を制御するためのものである。
具体的には、メイン制御手段500は、コンピュータであって、図示しないが、例えばＣＰＵを中心に構成され、ＲＯＭやＲＡＭ等の記録媒体、Ｉ／Ｏ等を備えている。
また、記録媒体は、ＲＯＭやＲＡＭに限定されず、そのほか電気的・磁気的・光学的なメモリーやディスク等でも良い。
【００８８】
メイン制御手段500のＣＰＵ（図示せず）は、記録媒体、例えばＲＯＭに記録されたプログラムを読み込むことで、図２に示すように、次の手段として機能する。
なお、次の（１）〜（６）の手段の説明については、後述する。
（１）役抽選手段510
（２）メインリール制御手段520
（３）一般遊技制御手段530
（４）特別遊技制御手段540
（５）利益付与手段550
（６）信号送信手段560
なお、メイン制御手段500の手段は、上記した（１）〜（６）に限定されない。
（メイン制御手段500の入力段）
つぎに、図２を用いて、メイン制御手段500の入力段について説明する。
【００８９】
メイン制御手段500の入力段には、図２に示すように、次のパーツがそれぞれ接続されている。
なお、メイン制御手段500の入力段に接続されるパーツは、次の（１）〜（４）に限定されない。
（１）メダルセンサー61
メダルセンサー61は、メダル投入口60の内部に設けられ、メダル投入口60に投入されたメダルを検出するためのものである。
【００９０】
（２）ベットスイッチ70
（３）スタートスイッチ80
（４）第１〜第３ストップスイッチ90〜92
（メイン制御手段500の出力段）
つぎに、図２を用いて、メイン制御手段500の出力段について説明する。
【００９１】
メイン制御手段500の出力段には、図２に示すように、次のパーツがそれぞれ接続されている。
なお、メイン制御手段500の出力段に接続されるパーツは、次の（１）〜（３）に限定されない。
（１）第１〜第３メインリールモータ101,111,121
（２）ホッパーユニット320
ホッパーユニット320は、スロットマシン10の内部に設けられている。
【００９２】
ホッパーユニット320は、表示部20に停止表示された第１〜第３メインリール100,110,120の図柄が、予め設定された図柄の組み合わせに一致する場合に、遊技者に所定枚数のメダルを払い出すためのものである。
（３）サブ制御手段600
（サブ制御手段600）
サブ制御手段600は、図２に示すように、メイン制御手段500に接続され、メイン制御手段500から一方向に送信される信号、例えばコマンドやデータ等にもとづいて、各種の演出を制御するためのものである。
【００９３】
具体的には、サブ制御手段600は、コンピュータであって、図示しないが、例えばＣＰＵを中心に構成され、ＲＯＭやＲＡＭ等の記録媒体、Ｉ／Ｏ等を備えている。
なお、サブ制御手段600のＣＰＵの数は、１個に限定されず、２個以上のＣＰＵを用いても良い。
また、記録媒体は、ＲＯＭやＲＡＭに限定されず、そのほか電気的・磁気的・光学的なメモリーやディスク等でも良い。
【００９４】
上記サブ制御手段600のＣＰＵ（図示せず）は、記録媒体、例えばＲＯＭに記録されたプログラムを読み込むことで、図２に示すように、大別すると、次の手段として機能する。
なお、次の（１）〜（４）の手段の説明については、後述する。
（１）信号受信手段610
（２）サブリール制御手段620
（３）画像制御手段630
（４）効果音発生手段640
なお、サブ制御手段600の手段は、上記した（１）〜（４）に限定されない。
（サブ制御手段600の入力段）
つぎに、図２を用いて、サブ制御手段600の入力段について説明する。
【００９５】
サブ制御手段600の入力段には、図２に示すように、次のパーツが接続されている。
（１）メイン制御手段500
なお、サブ制御手段600の入力段に接続されるパーツは、上記した（１）に限定されない。
（サブ制御手段600の出力段）
つぎに、図１を用いて、サブ制御手段600の出力段について説明する。
【００９６】
サブ制御手段600の出力段には、図２に示すように、次のパーツがそれぞれ接続されている。
（１）第１、第２サブリールモータ201,211
（２）画像表示装置50
（３）スピーカ310
なお、サブ制御手段600の出力段に接続されるパーツは、上記した（１）〜（３）に限定されない。
（役抽選手段510）
役抽選手段510は、役の当否を抽選により決定するものである。
【００９７】
まず、役の当否には、次の種類がある。
（１）役の当選
（２）ハズレ
役には、次の種類がある。
なお、次の（３）〜（５）の役の説明については、後述する。
【００９８】
また、役は、役のうち１個だけ当選する場合のほか、複数の役が同時に２以上、当選する場合もあり、役抽選手段510はいわゆるグループ抽選が可能となっている。
（３）小役
（４）再遊技（リプレイ）
（５）ボーナス
なお、役の種類は、上記した（３）〜（５）に限定されない。
（小役）
小役は、予め設定された小役図柄が揃って入賞することを条件に、所定枚数のメダルを払い出すための役である。
（再遊技）
再遊技は、いわゆるリプレイとも呼ばれ、予め設定されたリプレイ図柄が揃うことを条件に、メダルを投入すること無しに次回の遊技を行えるという役である。
（ボーナス）
ボーナスは、特別遊技への移行役であり、特定役や、前述したようにそれ自体を特別遊技とも呼ぶ。
【００９９】
特別遊技は、一般遊技より遊技者に有利な遊技である。
なお、特別遊技として、ボーナスを例示したが、これに限定されない。また、特定役として、ボーナスを例示したが、これに限定されず、特定の小役等でも良い。
具体的には、ボーナスには、次の種類がある。
なお、ボーナスの種類は、次の（１）〜（３）に限定されない。
【０１００】
（１）ＢＢ移行役
ＢＢ移行役は、ＢＢへの移行役である。
すなわち、ＢＢ図柄を揃えることを条件に、一般遊技から、後述する特別遊技制御手段540による特別遊技であるＢＢへ移行させるための役である。
なお、ＢＢ図柄の入賞時に、メダルを払い出さなくとも良いし、或いはメダルを１枚払い出すようにしても良い。
【０１０１】
ＢＢの開始後、遊技者がメダルを３枚投入すると仮定すると、トータルで約２８８枚のメダルが獲得可能であり、例えば３４５枚を超える払い出しで終了する。
（２）ＭＢ移行役
ＭＢ移行役は、ＭＢへの移行役である。
ＭＢ図柄を揃えることを条件に、一般遊技から、後述する特別遊技制御手段540による特別遊技であるＭＢへ移行させるための役である。
【０１０２】
なお、ＭＢ図柄の入賞時に、メダルを払い出さなくとも良いし、或いはメダルを１枚払い出すようにしても良い。
ＭＢの開始後、遊技者がメダルを３枚投入すると仮定すると、トータルで約１９２枚のメダルが獲得可能であり、例えば２５３枚を超える払い出しで終了する。なお、ＭＢは、ＢＢに比較して、遊技者が獲得できるメダルの枚数が低く設定されている。
【０１０３】
（３）ＲＢ移行役
ＲＢ移行役は、ＲＢへの移行役である。
ＲＢの開始後、遊技者がメダルを３枚投入すると仮定すると、トータルで約９６枚のメダルが獲得可能である。ＲＢは、最高１２回のゲームか、８回の入賞か、いずれか先に達成された条件により終了する。なお、ＲＢは、ＭＢに比較して、遊技者が獲得できるメダルの枚数が低く設定されている。
（メインリール制御手段520）
メインリール制御手段520は、スタートスイッチ80の操作にもとづいて、メインリール駆動源である３個のメインリールモータ101,111,121を駆動し、３個の第１〜第３メインリール100,110,120の回転を開始させ、第１ストップスイッチ90の操作にもとづいて、当該第１ストップスイッチ90が対応する第１メインリール100を個別に停止させ、第２ストップスイッチ91の操作にもとづいて、当該第２ストップスイッチ91が対応する第２メインリール110を個別に停止させ、第３ストップスイッチ92の操作にもとづいて、当該第３ストップスイッチ92が対応する第３メインリール120を個別に停止させるためのものである。
【０１０４】
具体的には、メインリール制御手段520は、役抽選手段510による抽選により決定した遊技結果、及び第１〜第３ストップスイッチ90〜92の操作にもとづいて、当該第１〜第３ストップスイッチ90〜92に対応する第１〜第３リールモータ101,111,121の停止制御を行うためのものである。
（一般遊技制御手段530）
一般遊技制御手段530は、一般遊技を行わせるためのものである。
（特別遊技制御手段540）
特別遊技制御手段540は、役抽選手段510より当選した役のうち、予め設定された特定役（例えばＢＢ移行役）に当選したことを契機（例えばＢＢ図柄の入賞）に、一般遊技より遊技者に有利な特別遊技（例えばＢＢ）を実行するためのものである。
【０１０５】
なお、特定役として、ＢＢの移行役を例示したが、これに限定されず、パチンコ機の大当たりでも良い。また、特別遊技として、ＢＢを例示したが、パチンコ機の大当たり遊技でも良い。
（利益付与手段550）
利益付与手段550は、メイン表示窓20に停止表示された第１メインリール100、第１、第２サブ表示窓30,40にそれぞれ停止表示された第１、第２サブリール200,210の図柄の組み合わせが、予め設定された所定の図柄の組み合わせに一致している場合に、予め設定された所定の枚数のメダルを払い出すためのものである。
【０１０６】
メダルの払い出しは、ホッパーユニット320を駆動させることにより、メダルを実際に払い出しても良いし、或いはクレジットメダル枚数を増加させるようにしても良い。
（信号送信手段560）
信号送信手段560は、例えばコマンドやデータ等の信号である遊技情報をサブ制御手段600に送信するためのものである。
（信号受信手段610）
サブ制御手段600の信号受信手段610は、メイン制御手段500の信号送信手段560から送信された信号を受信するためのものである。
（サブリール制御手段620）
サブリール制御手段620は、スタートスイッチ80の操作にもとづいて、サブリール駆動源であるサブリールモータ201,211を駆動し、第１、第２サブリール200,210の回転を開始させ、各第１〜第２サブリール200,210の下側にそれぞれ位置する各第２、第３ストップスイッチ91,92の操作にもとづいて、当該第２、第３ストップスイッチ91,92の直上に位置する第１、第２サブリール200,210を個別に停止させるためのものである。
【０１０７】
具体的には、第２ストップスイッチ91の操作にもとづいて、当該第２ストップスイッチ91の直上に位置する第１サブリール210が停止する。第３ストップスイッチ92の操作にもとづいて、当該第３ストップスイッチ92の直上に位置する第２サブリール210が停止する。
また、サブリール制御手段620は、第１〜第３メインリール100,110,120に比較して、第１、第２サブリール200,210を遅れて停止させるようにしている。
（画像制御手段630）
画像制御手段630は、信号受信手段610が受信した信号にもとづいて、図示しないが、各種の演出画像を画像表示装置50に表示させるためのものである。
（効果音発生手段640）
効果音発生手段640は、信号受信手段610が受信した信号にもとづいて、各種の効果音をスピーカ310から出力させるためのものである。
（遊技の説明）
つぎに、上記した構成を備えるスロットマシン10により遊技について説明する。
【０１０８】
まず、メダルの投入を条件に、スタートスイッチ80を操作すると、第１〜第３メインリールモータ101,111,121の駆動が開始され、３個の第１〜第３メインリール100,110,120の回転が開始される。
第１〜第３メインリールモータ101,111,121の駆動は、図２のメイン制御手段500のメインリール制御手段520により行われる。
【０１０９】
同時に、スタートスイッチ80のスタート信号は、図２のメイン制御手段500の信号送信手段560を介して、サブ制御手段600の信号受信手段610に送信される。
このため、図２のサブ制御手段600のサブリール制御手段620により、サブリールモータ201,211の駆動が開始され、２個の第１、第２サブリール200,210の回転を開始される。
その結果、３個の第１〜第３メインリール100,110,120、２個の第１、第２サブリール200,210の計５個の回転が開始する。
【０１１０】
なお、本実施の形態では、第１、第２サブリール200,210を、第１〜第３メインリール100,110,120と同時に回転させたが、これに限定されず、第１、第２サブリール200,210を遅れて回転させても良い。また、２個の第１、第２サブリール200,210を同時に開始させたが、時間差を持たせて順番に回転を開始させても良い。
つぎに、３個の第１〜第３ストップスイッチ90〜92のいずれかを操作すると、対応する第１〜第３メインリール100,110,120の回転が停止する。
【０１１１】
例えば、図１の向かって左側に位置する第１ストップスイッチ90を操作すると、直上に位置する第１メインリール100の回転が停止する。
すなわち、図２のメイン制御手段500のメインリール制御手段520が、第１メインリール100に対応する第１メインリールモータ101の駆動を停止させることで、当該第１メインリール100の回転が停止する。
【０１１２】
つぎに、図１の中央に位置する第２ストップスイッチ91を操作すると、第１サブ表示窓30に臨む第２メインリール110の回転が停止する。
すなわち、図２のメイン制御手段500のメインリール制御手段520が、第２メインリール110に対応する第２リールモータ111の駆動を停止させることで、当該第２メインリール110の回転が停止する。
【０１１３】
同時に、第２ストップスイッチ91の第２ストップ信号は、図２のメイン制御手段500の信号送信手段560を介して、サブ制御手段600の信号受信手段610に送信される。
このため、図２のサブ制御手段600のサブリール制御手段620により、中央の第２ストップスイッチ91の直上に位置する第１サブリール200に対応する第１サブリールモータ201の駆動を停止させることで、当該第１サブリール200の回転が停止する。
【０１１４】
このとき、サブリール制御手段620は、第１サブリール200を遅れて停止させる。
このため、中央の第２ストップスイッチ91を操作すると、第１サブ表示窓30に臨む第２メインリール110が停止し、その後、少し遅れて、中央の第２ストップスイッチ91の直上に位置し、メイン表示窓20に臨む第１サブリール200が停止する。
最後に、図１の向かって右側に位置する第３ストップスイッチ92を操作すると、第２サブ表示窓40に臨む第３メインリール120の回転が停止する。
【０１１５】
すなわち、図２のメイン制御手段500のメインリール制御手段520が、第３メインリール120に対応する第３リールモータ121の駆動を停止させることで、当該第３メインリール120の回転が停止する。
同時に、第３ストップスイッチ92の第３ストップ信号は、図２のメイン制御手段500の信号送信手段560を介して、サブ制御手段600の信号受信手段610に送信される。
【０１１６】
このため、図２のサブ制御手段600のサブリール制御手段620により、右側の第３ストップスイッチ92の直上に位置する第２サブリール210に対応する第２サブリールモータ221の駆動を停止させることで、当該第２サブリール210の回転が停止する。
このとき、サブリール制御手段620は、第２サブリール210を遅れて停止させる。
このため、右側の第３ストップスイッチ92を操作すると、第２サブ表示窓40に臨む第３メインリール120が停止し、その後、右側の第３ストップスイッチ92の直上に位置し、メイン表示窓20に臨む第２サブリール210が少し遅れて停止する。
【０１１７】
その結果、３個の第１〜第３ストップスイッチ90〜92を全て操作すると、３個の第１〜第３メインリール100,110,120、２個の第１、第２サブリール200,210の計５個の回転が全て停止する。
（第２の実施の形態）
つぎに、図４を用いて、本発明の第２の実施の形態の一例について説明する。
【０１１８】
本実施の形態の第１の特徴は、図４に示すように、２個の第１、第２サブ表示窓710,720を、メイン表示窓700の左右両側にそれぞれ配置した点である。
本実施の形態の第２の特徴は、図４に示すように、第１、第２サブリール220,230の直径を、第１〜第３メインリール130,140,150の直径より小さく設定した点である。
（メイン表示窓20）
メイン表示窓20には、図４に示すように、中央に第２メインリール140を、左右両側に第１、第２サブリール220,230をそれぞれ臨ませる。
（第２の実施の形態の第１、第２サブ表示窓710,720）
第１、第２サブ表示窓710,720は、図４に示すように、メイン表示窓700の左右両側にそれぞれ配置する。
【０１１９】
すなわち、メイン表示窓700の図４の向かって左側には、第１サブ表示窓710を、向かって右側には第２サブ表示窓720を配置している。
また、左右の第１、第２サブ表示窓710,720には、図４に示すように、残る第１、第３メインリール130,150をそれぞれ臨ませる。
すなわち、向かって左側の第１サブ表示窓710には、第１メインリール130を、向かって右側の第２サブ表示窓720には第３メインリール150をそれぞれ臨ませている。
（第２の実施の形態の第１、第２サブリール220,230）
第１、第２サブリール220,230の直径は、図４に示すように、第１〜第３メインリール130,140,150の直径より小さく設定する。
（第２の実施の形態の遊技の説明）
つぎに、上記した構成を備えるスロットマシン10により遊技について説明する。
【０１２０】
まず、図示しないが、メダルの投入を条件に、スタートスイッチ80を操作すると、３個の第１〜第３メインリール130,140,150の回転が開始する。
同時に、２個の第１、第２サブリール220,230の回転が開始する。
その結果、３個の第１〜第３メインリール130,140,150、２個の第１、第２サブリール220,230の計５個の回転が開始する。
【０１２１】
つぎに、３個の第１〜第３ストップスイッチ90〜92のいずれかを操作すると、対応する第１〜第３メインリール130,140,150の回転が停止する。
例えば、図４の向かって左側に位置する第１ストップスイッチ90を操作すると、向かって左側の第１サブ表示窓710に臨む第１メインリール130の回転が停止する。
このとき、左側の第１ストップスイッチ90の直上に位置し、メイン表示窓20に臨む第１サブリール220が遅れて停止する。
【０１２２】
つぎに、図４の中央に位置する第２ストップスイッチ91を操作すると、直上に位置する第２メインリール140の回転が停止する。
最後に、図４の向かって右側に位置する第３ストップスイッチ92を操作すると、第２サブ表示窓720に臨む第３メインリール720の回転が停止する。
このとき、右側の第３ストップスイッチ92の直上に位置し、メイン表示窓20に臨む第２サブリール230が遅れて停止する。
【０１２３】
その結果、第１〜第３ストップスイッチ90〜92を全て操作すると、３個の第１〜第３メインリール130,140,150、２個の第１、第２サブリール220,230の計５個の回転が全て停止する。
（第３の実施の形態）
つぎに、図５〜６を用いて、本発明の第３の実施の形態の一例について説明する。
【０１２４】
本実施の形態の第１の特徴は、図５に示すように、サブ表示窓810の個数も、２個から１個に減少させた点である。このため、サブリール240の個数も、２個から１個に減少させている。
本実施の形態の第２の特徴は、図５に示すように、メイン表示窓800から見えるサブリール240に表示された図柄の個数を、メイン表示窓800から見える２個の第１、第３メインリール160,180に表示された図柄の個数より減少させている点である。
（第３の実施の形態のメイン表示窓800）
メイン表示窓800には、図５に示すように、左右に第１、第３メインリール160,180を、中央にサブリール240をそれぞれ臨ませる。
（第３の実施の形態のサブ表示窓810）
サブ表示窓810は、図５に示すように、メイン表示窓800の左右両側の片側、例えば右側に配置する。
【０１２５】
また、サブ表示窓810には、第２メインリール170を臨ませている。
（第３の実施の形態の第１〜第３メインリール160,170,180）
第１〜第３メインリール160,170,180には、図６に示すように、メインリール駆動源として、例えば３個のメインリールモータ161,171,181を備える。
３個のメインリールモータ161,171,181は、図６に示すように、メイン制御手段500の出力段に接続されている。
【０１２６】
メイン制御手段500には、後述するが、図６に示すように、メインリール制御手段520を備える。
（第３の実施の形態のサブリール240）
メイン表示窓800から見えるサブリール240に表示された図柄の個数を、図５に示すように、メイン表示窓800から見える２個の第１、第３メインリール160,180に表示された図柄の個数より減少させている。
【０１２７】
具体的には、第１、第３メインリール160,180に表示された図柄の個数を、例えば３個とし、サブリール240に表示された図柄の個数を、例えば１個としている。
なお、サブリール240に表示された図柄の個数として、１個を例示したが、これに限定されず、２個としても良い。
また、サブリール240には、図６に示すように、サブリール駆動源として、例えば１個のサブリールモータ241を備える。
【０１２８】
サブリールモータ241は、図６に示すように、サブ制御手段600の出力段に接続されている。
サブ制御手段600には、後述するが、図６に示すように、サブリール制御手段620を備える。
（第３の実施の形態のメインリール制御手段520）
メインリール制御手段520は、スタートスイッチ80の操作にもとづいて、メインリール駆動源である３個のメインリールモータ161,171,181を駆動し、３個の第１〜第３メインリール160,170,180の回転を開始させ、第１ストップスイッチ90の操作にもとづいて、当該第１ストップスイッチ90が対応する第１メインリール160を個別に停止させ、第２ストップスイッチ91の操作にもとづいて、当該第２ストップスイッチ91が対応する第２メインリール170を個別に停止させ、第３ストップスイッチ92の操作にもとづいて、当該第３ストップスイッチ92が対応する第３メインリール180を個別に停止させるためのものである。
（第３の実施の形態のサブリール制御手段620）
サブリール制御手段620は、スタートスイッチ80の操作にもとづいて、サブリール駆動源であるサブリールモータ241を駆動し、サブリール240の回転を開始させ、サブリール240の下側に位置する第２ストップスイッチ91の操作にもとづいて、当該第２ストップスイッチ91の直上に位置するサブリール240を停止させるためのものである。
【０１２９】
また、サブリール制御手段620は、第１〜第３メインリール160,170,180に比較して、サブリール240を遅れて停止させるようにしている。
（第３の実施の形態の遊技の説明）
つぎに、上記した構成を備えるスロットマシン10により遊技について説明する。
まず、図示しないが、メダルの投入を条件に、スタートスイッチ80を操作すると、３個の第１〜第３メインリール160,170,180の回転が開始する。
【０１３０】
同時に、サブリール240の回転が開始する。
その結果、３個の第１〜第３メインリール160,170,180、１個のサブリール240の計４個の回転が開始する。
つぎに、３個の第１〜第３ストップスイッチ90〜92のいずれかを操作すると、対応する第１〜第３メインリール160,170,180の回転が停止する。
【０１３１】
例えば、図５の向かって左側に位置する第１ストップスイッチ90を操作すると、直上の第１メインリール160の回転が停止する。
つぎに、図５の中央に位置する第２ストップスイッチ91を操作すると、サブ表示窓810に臨む第２メインリール170の回転が停止する。
このとき、中央の第２ストップスイッチ90の直上に位置し、メイン表示窓800に臨むサブリール240が遅れて停止する。
【０１３２】
最後に、図５の向かって右側に位置する第３ストップスイッチ92を操作すると、直上の第３メインリール180の回転が停止する。
その結果、第１〜第３ストップスイッチ90〜92を全て操作すると、３個の第１〜第３メインリール160,170,180、１個のサブリール240,230の計４個の回転が全て停止する。
（第４の実施の形態）
つぎに、図７〜９を用いて、本発明の第４の実施の形態の一例について説明する。
【０１３３】
本実施の形態の特徴は、図８に示すように、画像表示装置900の左右両側に、メイン表示窓1000とサブ表示窓1100とを配置した点である。
（第４の実施の形態の画像表示装置900）
画像表示装置900は、図９に示すように、遊技制御装置400に接続され、遊技の進行にもとづいて演出画像を表示可能なものである。
【０１３４】
画像表示装置900の下側には、図７及び図８に示すように、３個の第１〜第３ストップスイッチ90〜92をそれぞれ配置している。
（第４の実施の形態のメイン表示窓1000）
メイン表示窓1000は、図７及び図８に示すように、画像表示装置(900)の左右方向の一方の片側、例えば左側に位置し、３個の第１〜第３メインリール1200,1210,1220が臨むものである。
（第４の実施の形態のサブ表示窓1100）
サブ表示窓1100は、図７及び図８に示すように、画像表示装置900の左右方向の他方の片側、例えば右側に位置し、３個の第１〜第３サブリール1300,1310,1320が臨むものである。
（第４の実施の形態の第１〜第３メインリール1200,1210,1220）
第１〜第３メインリール1200,1210,1220は、図７及び図８に示すように、少なくとも３個有り、メインリール軸Ｍを中心に回転可能に保持され、外周に複数種類の図柄が表示されたものである。
【０１３５】
第１〜第３メインリール1200,1210,1220には、メインリール駆動源として、例えば３個のメインリールモータ1201,1211,1221を備える。
メインリールモータ1201,1211,1221は、第１〜第３メインリール1200,1210,1220を個別に回転可能なものである。
（第４の実施の形態の第１〜第３サブリール1300,1310,1320）
第１〜第３サブリール1300,1310,1320は、図７及び図８に示すように、少なくとも３個有り、メインリール軸Ｍと同一直線上に配置されるサブリール軸Ｓを有し、当該サブリール軸Ｓを中心に回転可能に保持され、外周に複数種類の図柄が表示されたものである。
【０１３６】
第１〜第３サブリール1300,1310,1320には、サブリール駆動源として、例えば３個のサブリールモータ1301,1311,1321を備える。
サブリールモータ1301,1311,1321は、遊技制御装置400に接続され、第１〜第３サブリール1300,1310,1320を個別に回転可能なものである。
（第４の実施の形態のメインリール制御手段520）
メインリール制御手段520は、スタートスイッチ80の操作にもとづいて、メインリール駆動源であるメインリールモータ1201,1211,1221を駆動し、第１〜第３メインリール1200,1210,1220の回転を開始させ、第１ストップスイッチ90の操作にもとづいて、当該第１ストップスイッチ90が対応する第１メインリール1200を個別に停止させ、第２ストップスイッチ91の操作にもとづいて、当該第２ストップスイッチ91が対応する第２メインリール1210を個別に停止させ、第３ストップスイッチ92の操作にもとづいて、当該第３ストップスイッチ92が対応する第３メインリール1220を個別停止させるためのものである。
（第４の実施の形態のサブリール制御手段620）
サブリール制御手段620は、スタートスイッチ80の操作にもとづいて、サブリール駆動源であるサブリールモータ1301,1311,1321を駆動し、第１〜第３サブリール1300,1310,1320の回転を開始させ、第１ストップスイッチ90の操作にもとづいて、第１サブリール1300を個別に停止させ、第２ストップスイッチ91の操作にもとづいて、第２サブリール1310を個別に停止させ、第３ストップスイッチ92の操作にもとづいて、第３サブリール1320を個別に停止させるためのものである。
【０１３７】
また、サブリール制御手段620は、第１〜第３メインリール1200,1210,1220に比較して、第１〜第３サブリール1300,1310,1320を遅れて停止させるようにしている。
（第４の実施の形態の遊技の説明）
つぎに、上記した構成を備えるスロットマシン10により遊技について説明する。
まず、メダルの投入を条件に、スタートスイッチ80を操作すると、３個の第１〜第３メインリール1200,1210,1220の回転が開始する。
【０１３８】
同時に、３個の第１〜第３サブリール1300,1310,1320の回転が開始する。
その結果、３個の第１〜第３メインリール1200,1210,1220、第１〜第３サブリール1300,1310,1320の計６個の回転が開始する。
つぎに、３個の第１〜第３ストップスイッチ90〜92のいずれかを操作すると、対応する第１〜第３メインリール1200,1210,1220の回転が停止する。
【０１３９】
例えば、図８の向かって左側に位置する第１ストップスイッチ90を操作すると、メイン表示窓1000の向かって左側の第１メインリール1200の回転が停止する。
このとき、サブ表示窓1100の向かって左側の第１サブリール1300が遅れて停止する。
つぎに、図８の中央に位置する第２ストップスイッチ91を操作すると、メイン表示窓1000の中央の第２メインリール1210の回転が停止する。
【０１４０】
このとき、サブ表示窓1100の中央の第２サブリール1310が遅れて停止する。
最後に、図８の向かって右側に位置する第３ストップスイッチ92を操作すると、メイン表示窓1000の向かって右側の第３メインリール1220の回転が停止する。
このとき、サブ表示窓1100の向かって右側の第３サブリール1320が遅れて停止する。
その結果、第１〜第３ストップスイッチ90〜92を全て操作すると、３個の第１〜第３メインリール1200,1210,1220、第１〜第３サブリール1300,1310,1320の計６個の回転が全て停止する。
【図面の簡単な説明】
【０１４１】
【図１】本発明の第１の実施の形態の一例を示し、同図はメイン・サブ表示窓を説明するための概略正面図である。
【図２】ロットマシンの動作を説明するための概略ブロック図である。
【図３】スロットマシンの概略正面図である。
【図４】本発明の第２の実施の形態の一例を示し、同図はメイン・サブ表示窓を説明するための概略正面図である。
【図５】本発明の第３の実施の形態の一例を示し、同図はメイン・サブ表示窓を説明するための概略正面図である。
【図６】スロットマシンの動作を説明するための概略ブロック図である。
【図７】本発明の第２の実施の形態の一例を示し、同図はメイン・サブ表示窓を説明するための概略正面図である。
【図８】スロットマシンの動作を説明するための概略ブロック図である。
【図９】スロットマシンの概略正面図である。
【符号の説明】
【０１４２】
（第１の実施の形態）
10  スロットマシン
20  メイン表示窓
30  第１サブ表示窓          40  第２サブ表示窓
50  画像表示装置
60  メダル投入口            61  メダルセンサー
70  ベットスイッチ
80  スタートスイッチ        90〜92  第１〜第３ストップスイッチ
100,110,120  第１〜第３メインリール
101,111,121  第１〜第３メインリールモータ（メインリール駆動源）
Ｍ  メインリール軸
200,210  第１、第２サブリール
201,211  第１、第２サブリールモータ（サブリール駆動源）
Ｓ  サブリール軸
300  メダル貯留皿           310  スピーカ
320  ホッパーユニット
400  遊技制御装置
500  メイン制御手段
510  役抽選手段             520  メインリール制御手段
530  一般遊技制御手段       540  特別遊技制御手段
550  利益付与手段           560  信号送信手段
600  サブ制御手段
610  信号受信手段           620  サブリール制御手段
630  画像制御手段           640  効果音発生手段
（第２の実施の形態）
130,140,150  第１〜第３メインリール
220,230  第１、第２サブリール
700  メイン表示窓           710,720  第１、第２サブ表示窓
（第３の実施の形態）
160,170,180  第１〜第３メインリール
161,171,181  第１〜第３メインリールモータ（メインリール駆動源）
240  サブリール
241  サブリールモータ（サブリール駆動源）
800  メイン表示窓
810  サブ表示窓
（第４の実施の形態）
900  画像表示装置
1000  メイン表示窓          1100  サブ表示窓
1200,1210,1220  第１〜第３メインリール
1201,1211,1221  第１〜第３メインリールモータ（メインリール駆動源）
1300,1310,1320  第１〜第３サブリール
1301,1311,1321  第１〜第３サブリールモータ（サブリール駆動源）
【図１】
2009112410.tif 000003
【図２】
2009112410.tif 000004
【図３】
2009112410.tif 000005
【図４】
2009112410.tif 000006
【図５】
2009112410.tif 000007
【図６】
2009112410.tif 000008
【図７】
2009112410.tif 000009
【図８】
2009112410.tif 000010
【図９】
2009112410.tif 000011